(57)【要約】【課題】側部外板のデザイン曲面を精度良く形成し、側部外板と前後の他の外板との間の繋ぎ部の構成を簡略化する。【解決手段】縦・横方向の交差骨格を有し、該交差骨格の外側に側部外板が設置されたバスの側部構造において、上下の横骨格１ａ，１ｂ間を繋ぐ縦骨格２の外側面に、上下の中間が円弧状に外側に突出して側部外板３ａの上下中間を外側に湾曲させる突出曲面８を形成した芯金材９を固定する。【選択図】図１
2007030699.tif 000002
【特許請求の範囲】
【請求項１】
縦・横方向の交差骨格を有し、該交差骨格の外側に側部外板が設置されたバスの側部構造において、上下の横骨格間を繋ぐ縦骨格の外側面に、上下の中間が円弧状に外側に突出して側部外板の上下中間を外側に湾曲させる突出曲面を形成した芯金材を固定したことを特徴とするバスの側部構造。
【請求項２】
前記芯金材は、バス側部の前端と後端に備えられる縦骨格の少なくとも一方に設けることを特徴とする請求項１に記載のバスの側部構造。
【請求項３】
前記側部外板の前端辺と後端辺の少なくとも一方を内側に折り曲げてフランジ部を形成し、該フランジ部を前記芯金材の突出曲面と直交する側面に溶接固定したことを特徴とする請求項１又は２に記載のバスの側部構造。
【発明の詳細な説明】
【技術分野】
【０００１】
本発明は、バスの側部構造に関するものである。
【背景技術】
【０００２】
従来よりバスは、図４に示す如く、横骨格１と縦骨格２が交差したスケルトン構造の外側に外板３を取り付けることによりバスの側部構造を形成している。
【０００３】
バスの側部構造は、上部の窓設置部４の下部に位置する上側の横骨格１ａとホイールハウジング５の上部に位置する下側の横骨格１ｂとの間のＡゾーンと称される部分に前後に長い平坦な側部外板３ａが設けられ、又、該側部外板３ａの下部にはホイールハウジング５等を形成するようにした下部外板３ｂが設けられている。前記側部外板３ａはバスの側面の略全長に亘って延びる長い長さの平坦面を有しており、従って側部外板３ａは歪みなどがあると非常に目立つ意匠的に重要な部分となっており、このために、通常、前記側部外板３ａには外部に向けて凸のデザイン曲面を形成することにより外観品質を高めることが行われている。
【０００４】
従来の側部外板３ａに凸のデザイン曲面を形成する構造としては、図４のバスをＡ−Ａ方向から見た図５で示すように、上下の横骨格１ａ，１ｂ間を繋いでいる縦骨格２０を、中間部が外側に突出するように湾曲した形状に曲げ加工し、この湾曲した縦骨格２０の外側面に沿って側部外板３ａを配置し、上端辺を上側の横骨格１ａにスポット溶接Ｗで固定し、下端辺を下側の横骨格１ｂにスポット溶接Ｗで固定することにより側部外板３ａに凸のデザイン曲面を持たせている。更に、横骨格１ａ，１ｂにスポット溶接Ｗする側部外板３ａの上端辺と下端辺にはシーラーを塗布している。
【０００５】
又、前記側部外板３ａの前端辺及び後端辺を固定する構造としては、図４のバスをＢ方向から見た図６で示すように、前記側部外板３ａの後端辺３ａ’をバスの後端に設けられる縦骨格２０の外側面にスポット溶接Ｗにて固定し、又、前記縦骨格２０の外側面には前記側部外板３ａの後端辺３ａ’と間隔Ｓを隔てて後側の外板６の前端辺６’をスポット溶接Ｗにて固定している。そして、前記間隔Ｓを含む側部外板３ａの後端辺３ａ’と後側の外板６の前端辺６’の固定部にはシーラー７を塗布して平滑面に仕上げることによりスポット溶接Ｗの跡を隠蔽している。又、図示しないが前記側部外板３ａの前端辺も図６の後端辺３ａ’と同様にバスの前端に設けられる縦骨格２０に対して固定されている。
【０００６】
尚、従来のバスの側部構造としては、平行する横骨格間に横骨格と平行な張出し材を固着し、この張出し材の凸面と外板の内面との間にシムを介在した構成が特許文献１に示されている。
【特許文献１】実公昭６３−４４３０３号公報
【発明の開示】
【発明が解決しようとする課題】
【０００７】
しかしながら、図５に示した側部外板３ａに凸のデザイン曲面を形成する構造においては、縦骨格２０の中間部が外側に突出するように湾曲した形状に加工するためには型が必要であり、この型はバスの車型分だけ必要であるため、多大な設備費が掛る問題がある。更に、型を用いて縦骨格２０を曲げ加工しても高い曲げ加工精度を得ることが困難であるという問題がある。
【０００８】
又、従来における側部外板３ａの前端辺及び後端辺を固定する構造においては、図６に示した如く側部外板３ａの後端辺３ａ’をバスの後端に設けられる縦骨格２０の外側面にスポット溶接Ｗにて固定しており、又、後側の外板６の前端辺６’もスポット溶接Ｗにて前記後端の縦骨格２０の外側面に固定しているが、側部外板３ａの後端辺３ａ’はスポット溶接Ｗによって歪む問題があると共に、側部外板３ａと後側の外板６の厚さが異なる場合には段差が生じる問題があり、しかも、スポット溶接Ｗの跡が露出することになるため、前記間隔Ｓを含む後端辺３ａ’と前端辺６’の固定部にシーラー７を塗布して平滑面に仕上げることでスポット溶接Ｗの近傍を隠蔽する必要があり、このシーラー７の塗布、仕上げ作業が非常に大変であるためにコストが増加する問題を有していた。
【０００９】
本発明は、上記実情に鑑みてなしたもので、側部外板のデザイン曲面を精度良く形成することができ、且つ側部外板と前後の他の外板との間の繋ぎ部の構成を簡略化できるようにしたバスの側部構造を提供しようとするものである。
【課題を解決するための手段】
【００１０】
本発明は、縦・横方向の交差骨格を有し、該交差骨格の外側に側部外板が設置されたバスの側部構造において、上下の横骨格間を繋ぐ縦骨格の外側面に、上下の中間が円弧状に外側に突出して側部外板の上下中間を外側に湾曲させる突出曲面を形成した芯金材を固定したことを特徴とするバスの側部構造、に係るものである。
【００１１】
前記芯金材は、バス側部の前端と後端に備えられる縦骨格の少なくとも一方に設けることは好ましい。
【００１２】
前記側部外板の前端辺と後端辺の少なくとも一方を内側に折り曲げてフランジ部を形成し、該フランジ部を前記芯金材の突出曲面と直交する側面に溶接固定することは好ましい。
【００１３】
上記手段によれば、以下のような作用が得られる。
【００１４】
上下の横骨格間を繋ぐ鉛直の縦骨格の外側面に、上下の中間が外側に円弧状に突出した突出曲面を有する芯金材を固定し、該芯金材の外側に側部外板を配置して固定すると、側部外板は芯金材の突出曲面に倣って曲げられるので、側部外板は良好な凸のデザイン曲面を形成する。
【００１５】
更に、側部外板の前端辺及び後端辺を内側に曲げてフランジ部を形成し、該フランジ部を前記芯金材の突出曲面と直交する側面に固定すると、側部外板の前端辺及び後端辺は良好な形状精度を保持できると共に、溶接跡が外部から見えない状態で固定できる。
【発明の効果】
【００１６】
上下の横骨格間を繋ぐ鉛直の縦骨格の外側面に、上下の中間が外側に円弧状に突出した突出曲面を有する芯金材を固定し、該芯金材の外側に側部外板を配置して固定したので、側部外板は芯金材の突出曲面に倣って曲げられ、よって高い精度の凸形状のデザイン曲面を形成できる効果がある。
【００１７】
前記芯金材の突出曲面は、レーザートリム、或いはプラズマトリム等によって容易に高い精度で形成できるため、製造コストを低減できる効果がある。
【００１８】
更に、側部外板の前端辺及び後端辺を内側に曲げてフランジ部を形成し、該フランジ部を前記芯金材の突出曲面と直交する側面に固定したので、側部外板の前端辺及び後端辺は容易にしかも高い形状精度で固定できると共に、溶接跡が外部から見えない状態で固定できる効果がある。このため、側部外板の前端辺及び後端辺と他の外板との繋ぎ部を良好な外観形状にできる効果がある。
【発明を実施するための最良の形態】
【００１９】
以下、本発明の実施の形態を添付図面を参照して説明する。
【００２０】
図１〜図３は本発明を実施する形態の一例を示すもので、図１は図４のバスをＡ−Ａ方向から見た本発明における側部外板にデザイン曲面を形成する構造例を示す切断側面図、図２は図１の芯金材の形状を示す側面図、図３は図４のバスをＢ方向から見た本発明における側部外板の後端辺を固定する構造例を示す断面図であり、図中図４〜図６に示したものと同一のものには同じ符号を付して説明の重複を避ける。
【００２１】
図１に示す如く、図４の上下の横骨格１ａ，１ｂ間を繋いでいる鉛直の縦骨格２の外側面に、上下の中間が外側に円弧状に突出した突出曲面８を有する芯金材９の内側の平坦面８’を固定する。図２に示すように、前記芯金材９の突出曲面８は、レーザートリム、或いはプラズマトリム等によって精度良く円滑面に形成することができる。前記芯金材９は、縦骨格２に固定する他、上下の横骨格１ａ，１ｂに固定することもできるが、縦骨格２と上下の横骨格１ａ，１ｂの両方に固定することによって芯金材９は補強部材を兼ねることができる。
【００２２】
そして、前記芯金材９の外側に側部外板３ａを配置し、該側部外板３ａの上端辺を上側の横骨格１ａにスポット溶接Ｗ等で固定し、下端辺を下側の横骨格１ｂにスポット溶接Ｗ等で固定すると、前記側部外板３ａは芯金材９の突出曲面８に沿って曲げられた凸のデザイン曲面を形成する。
【００２３】
前記芯金材９は、図４に示されるバス側部の後端部に備えられる縦骨格２と前端部に備えられる縦骨格２の少なくとも一方に備えるようにしてもよく、又、バス側部に備えられる全ての縦骨格２に設置するようにしてもよい。
【００２４】
前記側部外板３ａの前端辺及び後端辺を固定する構造は、図３に示すように、前記側部外板３ａの後端辺３ａ’を内側に曲げてフランジ部１０を形成し、該フランジ部１０を前記芯金材９の突出曲面８と直交する側面１１にスポット溶接Ｗ等により固定する。又、前記側部外板３ａに比して厚い厚さを有する後側の外板６は、前端辺６’を内側に折り曲げてフランジ部１２を形成することにより強度を高めてあり、これにより、側部外板３ａのフランジ部１０と後側の外板６のフランジ部１２との間に間隔Ｓを形成した状態において、側部外板３ａの外側面と後側の外板６の外側面が同一の張出し高さを保持するようにしている。又、図示しないが前記側部外板３ａの前端辺も図３の後端辺３ａ’と同様にフランジ部を形成してバスの前端に設けられる縦骨格２の側面に対して固定することができる。
【００２５】
次に、上記図示例の作動を説明する。
【００２６】
図１に示すように、上下の横骨格１ａ，１ｂ間を繋ぐ鉛直の縦骨格２の外側面に、上下の中間が外側に円弧状に突出した突出曲面８を有する芯金材９を固定し、該芯金材９の外側に側部外板３ａを配置して該側部外板３ａの上端辺を上側の横骨格１ａにスポット溶接Ｗにて固定し、下端辺を下側の横骨格１ｂにスポット溶接Ｗにて固定すると、前記側部外板３ａは芯金材９の突出曲面８に倣って曲げられる。この時、前記芯金材９の突出曲面８は、レーザートリム、或いはプラズマトリム等により高い精度で円滑面に形成されているので、前記側部外板３ａは芯金材９によって高い精度の凸形状のデザイン曲面を形成する。
【００２７】
又、前記前記芯金材９を縦骨格２と上下の横骨格１ａ，１ｂに固定することにより、芯金材９を補強部材として兼用することができる。
【００２８】
更に、前記側部外板３ａの前端辺及び後端辺は、図３に側部外板３ａの前端辺の形状を示したように、側部外板３ａの後端辺３ａ’を内側に曲げてフランジ部１０を形成し、該フランジ部１０を前記芯金材９の突出曲面８と直交する側面１１にスポット溶接Ｗ等で固定しているので、側部外板３ａの後端辺３ａ’は芯金材９に沿って高い形状精度で固定されることになり、更に、フランジ部１０を前記芯金材９の側面１１に固定しているスポット溶接Ｗの跡は外部からは見えない構成となる。
【００２９】
従って、後側の外板６の前端辺６’を内側に折り曲げてフランジ部１２を形成することによって後側の外板６の強度を高め、これにより、側部外板３ａのフランジ部１０と後側の外板６のフランジ部１２との間に間隔Ｓを有した簡略な構成において、側部外板３ａの外側面と後側の外板６の外側面の張出し高さを同一にすることができ、よって側部外板３ａの後端辺３ａ’と後側の他の外板６の繋ぎ部を良好な外観形状とすることができる。また前記側部外板３ａの前端辺も図３の後端辺３ａ’と同様にフランジ部を形成してバスの前端に設けられる縦骨格２の側面に固定することにより、同様の効果を奏することができる。
【００３０】
なお、本発明のバスの側部構造は、上記形態例にのみ限定されるものではなく、本発明の要旨を逸脱しない範囲内において種々変更を加え得ることは勿論である。
【図面の簡単な説明】
【００３１】
【図１】図４のバスをＡ−Ａ方向から見た本発明における側部外板にデザイン曲面を形成する構造例を示す切断側面図である。
【図２】図１の芯金材の形状を示す側面図である。
【図３】図４のバスをＢ方向から見た本発明における側部外板の後端辺を固定する構造例を示す断面図である。
【図４】バスの概略側面図である。
【図５】図４のバスをＡ−Ａ方向から見た従来の側部外板にデザイン曲面を形成する構造例を示す切断側面図である。
【図６】図４のバスをＢ方向から見た従来の側部外板の後端辺を固定する構造例を示す断面図である。
【符号の説明】
【００３２】
１ａ        横骨格
１ｂ        横骨格
２  縦骨格
３ａ        側部外板
３ａ’      後端辺
８  突出曲面
９  芯金材
１０  フランジ部
１１  側面
【図１】
2007030699.tif 000003
【図２】
2007030699.tif 000004
【図３】
2007030699.tif 000005
【図４】
2007030699.tif 000006
【図５】
2007030699.tif 000007
【図６】
2007030699.tif 000008